【手続補正書】
【提出日】平成30年3月26日(2018.3.26)
【手続補正１】
【補正対象書類名】明細書
【補正対象項目名】００４９
【補正方法】変更
【補正の内容】
【００４９】
添付の特許請求の範囲で用いられる範囲では、「including」および「in which」という用語は、それぞれ「comprising」および「wherein」という用語のプレインイングリッシュでの同義語として用いられている。さらに、添付の特許請求の範囲で用いられる範囲では、「第１の」、「第２の」、および「第３の」等の用語は、単に標識として用いられており、これらの用語の対象物に対し、数に関する要件を課すことは意図していない。さらに、添付の特許請求の範囲の限定は、ミーンズプラスファンクション形式で記載されていない。このような特許請求の範囲の限定は、更なる構造を記述しない機能的表現に伴い「手段」という句を明示的に用いていない限り、かつ明示的に用いるまで、米国特許法第１１２条（ｆ）項に基づき解釈されることは意図していない。
本開示の種々の特徴は添付の特許請求の範囲内に記載されている。
なお、本発明は以下の特徴を以って実施することができる。
［特徴１］
少なくとも１つの部品にしっかりと接続される本体と、
前記本体に結合される少なくとも１つの疎水性要素であって、前記本体内への液体の浸入を防ぐ少なくとも１つの疎水性要素とを備えるシール式締結具組立体。
［特徴２］
前記少なくとも１つの疎水性要素は、前記本体の外面の少なくとも一部を被覆する少なくとも１つの疎水性コーティングを含む特徴１に記載のシール式締結具組立体。
［特徴３］
前記少なくとも１つの疎水性要素は金型の内部チャンバーを画定する内面をライニングする疎水性コーティングを含み、前記本体は前記内部チャンバー内に堆積される材料によって形成され、前記疎水性コーティングは前記内部チャンバー内で前記本体に付着する特徴１に記載のシール式締結具組立体。
［特徴４］
前記少なくとも１つの疎水性要素は前記本体を形成する材料に加えられる疎水性添加剤によって形成される特徴１に記載のシール式締結具組立体。
［特徴５］
前記少なくとも１つの疎水性要素は前記本体の１または複数の表面上に形成される疎水性テクスチャパターンを含む特徴１に記載のシール式締結具組立体。
［特徴６］
前記少なくとも１つの疎水性要素は酸化マンガンとポリスチレンとのナノコンポジット、酸化亜鉛とポリスチレンとのナノコンポジット、沈降炭酸カルシウム、カーボンナノチューブ構造物またはシリカナノコーティングの１または複数から形成される特徴１に記載のシール式締結具組立体。
［特徴７］
前記本体は、射出成形によって成形される特徴１に記載のシール式締結具組立体。
［特徴８］
前記本体は、第２の取付け部に結合される第１の取付け部を有し、該第１の取付け部は、ネックを介してカラー結合された端部キャップを備え、前記第２の取付け部は、遠位先端部結合された１または複数の可撓性要素を備える特徴１に記載のシール式締結具組立体。
［特徴９］
シール式締結具組立体を形成する方法であって、
前記シール式締結具組立体の本体を形成することと、
少なくとも１つの疎水性要素を前記本体に結合することとを含み、
前記少なくとも１つの疎水性要素が前記本体内への液体の浸入を防ぐ方法。
［特徴１０］
前記結合する作業は、前記本体の外面の少なくとも一部を疎水性コーティングで被覆することを含む特徴９に記載の方法。
［特徴１１］
前記結合する作業は、
金型の内部チャンバーを画定する内面を疎水性コーティングでライニングすることであって、前記本体を形成する作業は、該ライニングする作業の後で、前記本体を形成する材料を前記内部チャンバー内に堆積させることを含むことと、
前記内部チャンバー内で前記本体に前記疎水性コーティングを付着させることとを含む特徴９に記載の方法。
［特徴１２］
前記結合する作業は前記本体を形成する材料に疎水性添加剤を加えることを含む特徴９に記載の方法。
［特徴１３］
前記結合する作業は前記本体の１または複数の表面上に少なくとも１つの疎水性テクスチャパターンを形成することを含む特徴９に記載の方法。
［特徴１４］
前記少なくとも１つの疎水性要素は、酸化マンガンとポリスチレンとのナノコンポジット、酸化亜鉛とポリスチレンとのナノコンポジット、沈降炭酸カルシウム、カーボンナノチューブ構造物またはシリカナノコーティングの１または複数から形成される特徴９に記載の方法。
［特徴１５］
前記本体を形成する作業は金型の成形チャンバー内に流体プラスチックを射出することを含む特徴９に記載の方法。
［特徴１６］
前記本体を形成する作業は第１の取付け部を第２の取付け部に結合することを含み、前記第１の取付け部はネックを介してカラー結合された端部キャップを備え、前記第２の取付け部は遠位先端部に結合された１または複数の可撓性要素を備える特徴９に記載の方法。
［特徴１７］
少なくとも１つの部品にしっかりと接続される本体と、
前記本体に結合される第１の疎水性要素であって、該第１の疎水性要素は、前記本体内への液体の浸入を防ぐように構成され、該第１の疎水性要素は、前記本体の外面の少なくとも一部を被覆する疎水性コーティングを含む第１の疎水性要素と、
前記本体に結合される第２の疎水性要素であって、該第２の疎水性要素は前記本体内への液体の浸入を防ぐように構成され、該第２の疎水性要素は前記本体の１または複数の表面上に形成される疎水性テクスチャパターンを含む第２の疎水性要素とを備えるシール式締結具組立体。
［特徴１８］
前記疎水性コーティングは金型の内部チャンバーを画定する内面を前記疎水性コーティングでライニングすることによって前記本体に結合され、該本体は前記内部チャンバー内に堆積される材料によって形成され、前記疎水性コーティングは前記内部チャンバー内で前記本体に付着する特徴１７に記載のシール式締結具組立体。
［特徴１９］
前記少なくとも１つの疎水性要素は、酸化マンガンとポリスチレンとのナノコンポジット、酸化亜鉛とポリスチレンとのナノコンポジット、沈降炭酸カルシウム、カーボンナノチューブ構造物またはシリカナノコーティングの１または複数から形成される特徴１７に記載のシール式締結具組立体。
［特徴２０］
前記本体は、第２の取付け部に結合される第１の取付け部を有し、該第１の取付け部は、ネックを介してカラー結合された端部キャップを備え、前記第２の取付け部は、遠位先端部結合された１または複数の可撓性要素を備える特徴１に記載のシール式締結具組立体。
【手続補正２】
【補正対象書類名】特許請求の範囲
【補正対象項目名】全文
【補正方法】変更
【補正の内容】
【特許請求の範囲】
【請求項１】
少なくとも１つの部品にしっかりと接続される本体と、
前記本体に結合される少なくとも１つの疎水性要素であって、前記本体内への液体の浸入を防ぐ少なくとも１つの疎水性要素とを備えるシール式締結具組立体。
【請求項２】
シール式締結具組立体を形成する方法であって、
前記シール式締結具組立体の本体を形成することと、
少なくとも１つの疎水性要素を前記本体に結合することとを含み、
前記少なくとも１つの疎水性要素が前記本体内への液体の浸入を防ぐ方法。
【請求項３】
少なくとも１つの部品にしっかりと接続される本体と、
前記本体に結合される第１の疎水性要素であって、該第１の疎水性要素は、前記本体内への液体の浸入を防ぐように構成され、該第１の疎水性要素は、前記本体の外面の少なくとも一部を被覆する疎水性コーティングを含む第１の疎水性要素と、
前記本体に結合される第２の疎水性要素であって、該第２の疎水性要素は前記本体内への液体の浸入を防ぐように構成され、該第２の疎水性要素は前記本体の１または複数の表面上に形成される疎水性テクスチャパターンを含む第２の疎水性要素とを備えるシール式締結具組立体。